(57)【特許請求の範囲】
【請求項１】
上下方向に延設されて上部にて物品を支持する支柱と、
前記支柱の外周面上に組み付けられた上べースと、
前記上べースの下方であって前記支柱の外周面上に組み付けられた下べースと、
前記支柱と前記上ベースの間に介装された樹脂性のクラッチ部材と、
平板状部材に曲げ部を設けて下方を開放させて互いに平行に対向した第１側壁部及び第２側壁部を有する長尺状の複数の脚であって、それぞれ内側端部にて、前記上べースに前記支柱を含む平面内にて回転可能に組み付けられて、前記支柱の外周面から外側に延設された複数の脚と、
前記複数の脚にそれぞれ対応して設けられ、長尺状に形成された複数のステーであって、内側端部にて前記下べースに前記支柱及び対応する脚を含む平面内にて回転可能に組み付けられ、外側端部にて対応する脚の中間部に前記支柱及び対応する脚を含む平面内にて回転可能に組み付けられた複数のステーとを備え、
前記上べースを前記支柱に対して上下方向に移動可能かつ固定可能に前記支柱に組み付け、
前記下べースを、前記支柱に対して上下方向に移動可能かつ固定可能に前記支柱に組み付け、又は前記支柱に固定したスタンドにおいて、
前記複数の脚の第１側壁部及び第２側壁部の各内側端部に互いに対向した貫通孔をそれぞれ設け、
前記上ベースは、周方向の一部を縦方向に切欠いた円筒状の本体部と、前記本体部の両端部から外側にそれぞれ突出して隙間を隔てて対向し、外側面間の距離を前記複数の脚のうちの一つの脚の第１側壁部と第２側壁部の内側面間の距離にほぼ等しくした第１支持片及び第２支持片であって、前記一つの脚を前記上ベースに組み付けた状態で前記一つの脚の第１側壁部及び第２側壁部に設けた貫通孔にそれぞれ対向する貫通孔をそれぞれ設けた第１支持片及び第２支持片と、前記本体部の外周面から外側に突出した複数の支持部であって、貫通孔をそれぞれ設けた複数の支持部とを備え、
前記クラッチ部材は、内周面の直径を前記支柱の直径にほぼ等しく、かつ外周面の直径を前記上ベースの本体部の内周面の直径にほぼ等しくして、周方向の一部を縦方向に切欠いた円筒状の本体部と、前記本体部の両端部から外側にそれぞれ突出して隙間を隔てて対向し、外側面間の距離を前記上ベースの第１支持片及び第２支持片の内側面間の距離にほぼ等しくした第１支持片及び第２支持片であって、前記上ベースの第１支持片及び第２支持片にそれぞれ設けた貫通孔にそれぞれ対向する貫通孔をそれぞれ設けた第１支持片及び第２支持片とを備え、
前記一つの脚の第１側壁部に設けた貫通孔を前記上ベースの第１支持片に設けた貫通孔に対向させるとともに、前記一つの脚の第２側壁部に設けた貫通孔を前記上ベースの第２支持片に設けた貫通孔に対向させて、ボルトを、前記一つの脚の第１側壁部に設けた貫通孔、前記上ベースの第１支持片に設けた貫通孔、前記クラッチ部材の第１支持片に設けた貫通孔、前記クラッチ部材の第２支持片に設けた貫通孔、前記上ベースの第２支持片に設けた貫通孔及び前記一つの脚の第２側壁部に設けた貫通孔に貫通させ、
前記ボルトの先端に調整ナットをねじ込み、前記調整ナットのねじ込みにより前記上ベース及び前記クラッチ部材を前記支柱上に固定し、かつ前記調整ナットのねじ込みを弛めることにより前記上ベース及び前記クラッチ部材の前記支柱上の固定を解除するようにし、
前記複数の脚のうちの前記一つの脚以外の脚の第１側壁部及び第２側壁部に設けた貫通孔及び前記上ベースの複数の支持部に設けた貫通孔に軸部材をそれぞれ貫通させて、前記一つの脚以外の脚を前記上べースに回転可能にそれぞれ組み付けるようにしたことを特徴とするスタンド。
【請求項２】
前記複数の脚の長手方向に直交する断面形状をコ字状とした請求項１に記載のスタンド。
【請求項３】
前記複数の脚の長手方向と直交する方向において対向した内側面間の距離を、前記ステーの長手方向と直交する方向における幅よりも大きくした請求項１又は２に記載のスタンド。
【発明の詳細な説明】
【技術分野】
【０００１】
本発明は、打楽器、譜面立て、マイクロフォン、カメラ、望遠鏡などの物品を上方位置にて支持するスタンドに関する。
【背景技術】
【０００２】
従来から、３本の脚により立設するように支持されたパイプ上に物品を組み付けるようにしたスタンドはよく知られている。例えば、下記特許文献１には、タムタム及びカウベルをパイプの上部に組み付けた楽器用スタンドが示されている。この楽器用スタンドにおいては、円筒状の上べースがパイプの下部外周面上に上下方向に移動可能かつ適当な位置に固定されるように組み付けられるとともに、円筒状の下べースがパイプの下端部に固定されている。そして、上べースの外周面上の１２０度間隔の位置には、３本の脚の各内側端部が上下方向に回動可能に組み付けられている。また、下べースの外周面上の３本の脚と同一の周方向位置には、３本のステーの各内側端部が上下方向に回動可能に組み付けられ、３本のステーの各外側端部が３本の脚の中間部にそれぞれ上下方向に回動可能に組み付けられている。
【０００３】
この場合、通常、３本の脚及び３本のステーは、それぞれ横断面形状を長方形状とする帯状に構成されている。そして、各脚の内側端部は、上べースの外周面上に突出した支持片の側面に重ね合わせて、ピンを介して回転可能に支持されている。各ステーの内側端部は、下べースの外周面上に突出した支持片の側面に重ね合わせて、ピンを介して回転可能に支持されている。各ステーの外側端部は、各脚の中間部の側面に重ね合わせて、ピンを介して回転可能に支持されている。また、上べースの側部には、固定用ねじが外側から貫通しており、固定用ねじを弛めた状態で上べースの上下位置を調整した後に、固定用ねじをねじ込んで、その先端をパイプの外周面に当接又はパイプに侵入させて、上べースをパイプの外周面上に固定するようにしている。
【先行技術文献】
【特許文献】
【０００４】
【特許文献１】実開昭６１−２９３９７号公報
【発明の概要】
【０００５】
しかしながら、上記従来技術における脚は、横断面形状を長方形状とする帯状の部材であるため、縦方向及び横方向の剛性をある程度高めるためには、横断面積及び厚さをある程度大きくする必要がある。したがって、この場合には、脚自身の重量が大きくなるという問題がある。
【０００６】
本発明は、このような問題に対処するためになされたもので、その目的は、脚の縦方向及び横方向の剛性をある程度大きく保ったうえで、脚の軽量化を図ったスタンドを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明の特徴は、上下方向に延設されて上部にて物品を支持する支柱（１１，１２，１３）と、支柱の外周面上に組み付けられた上べース（２７）と、上べースの下方であって支柱の外周面上に組み付けられた下べース（２９）と、支柱と上ベースの間に介装された樹脂性のクラッチ部材（２８）と、平板状部材に曲げ部を設けて下方を開放させて互いに平行に対向した第１側壁部（２１ｂ，２２ｂ，２３ｂ）及び第２側壁部（２１ｃ，２２ｃ，２３ｃ）を有する長尺状の複数の脚であって、それぞれ内側端部にて、上べースに支柱を含む平面内にて回転可能に組み付けられて、支柱の外周面から外側に延設された複数の脚（２１，２２，２３）と、複数の脚にそれぞれ対応して設けられ、長尺状に形成された複数のステーであって、内側端部にて下べースに支柱及び対応する脚を含む平面内にて回転可能に組み付けられ、外側端部にて対応する脚の中間部に支柱及び対応する脚を含む平面内にて回転可能に組み付けられた複数のステー（２４，２５，２６）とを備え、上べースを支柱に対して上下方向に移動可能かつ固定可能に支柱に組み付け、下べースを、支柱に対して上下方向に移動可能かつ固定可能に支柱に組み付け、又は支柱に固定したスタンドにおいて、複数の脚の第１側壁部及び第２側壁部の各内側端部に互いに対向した貫通孔（２１ｂ１，２１ｃ１，２２ｂ１，２２ｃ１，２３ｂ１，２３ｃ１）をそれぞれ設け、上ベースは、周方向の一部を縦方向に切欠いた円筒状の本体部（２７ａ）と、本体部の両端部から外側にそれぞれ突出して隙間を隔てて対向し、外側面間の距離を複数の脚のうちの一つの脚（２１）の第１側壁部（２１ｂ）と第２側壁部（２１ｃ）の内側面間の距離にほぼ等しくした第１支持片及び第２支持片であって、前記一つの脚を上ベースに組み付けた状態で前記一つの脚の第１側壁部及び第２側壁部に設けた貫通孔（２１ｂ１，２１ｃ１）にそれぞれ対向する貫通孔（２７ｂ１，２７ｃ１）をそれぞれ設けた第１支持片（２７ｂ）及び第２支持片（２７ｃ）と、本体部の外周面から外側に突出した複数の支持部であって、貫通孔（２７ｄ１，２７ｄ２，２７ｅ１，２７ｅ２）をそれぞれ設けた複数の支持部（２７ｄ，２７ｅ）とを備え、クラッチ部材は、内周面の直径を支柱の直径にほぼ等しく、かつ外周面の直径を上ベースの本体部の内周面の直径にほぼ等しくして、周方向の一部を縦方向に切欠いた円筒状の本体部（２８ａ）と、本体部の両端部から外側にそれぞれ突出して隙間を隔てて対向し、外側面間の距離を上ベースの第１支持片及び第２支持片の内側面間の距離にほぼ等しくした第１支持片及び第２支持片であって、上ベースの第１支持片及び第２支持片にそれぞれ設けた貫通孔にそれぞれ対向する貫通孔（２８ｂ１，２８ｃ１）をそれぞれ設けた第１支持片（２８ｂ）及び第２支持片（２８ｃ）とを備え、前記一つの脚（２１）の第１側壁部（２１ｂ）に設けた貫通孔（２１ｂ１）を上ベースの第１支持片に設けた貫通孔に対向させるとともに、前記一つの脚の第２側壁部（２１ｃ）に設けた貫通孔（２１ｃ１）を上ベースの第２支持片に設けた貫通孔に対向させて、ボルト（３１）を、前記一つの脚の第１側壁部に設けた貫通孔（２１ｂ１）、上ベースの第１支持片に設けた貫通孔（２７ｂ１）、クラッチ部材の第１支持片に設けた貫通孔（２８ｂ１）、クラッチ部材の第２支持片に設けた貫通孔（２８ｃ１）、上ベースの第２支持片に設けた貫通孔（２７ｃ１）及び前記一つの脚の第２側壁部に設けた貫通孔（２１ｃ１）に貫通させ、ボルトの先端に調整ナット（３２）をねじ込み、調整ナットのねじ込みにより上ベース及びクラッチ部材を支柱上に固定し、かつ調整ナットのねじ込みを弛めることにより上ベース及びクラッチ部材の支柱上の固定を解除するようにし、複数の脚のうちの前記一つの脚以外の脚（２２，２３）の第１側壁部（２２ｂ，２３ｂ）及び第２側壁部（２２ｃ，２３ｃ）に設けた貫通孔（２２ｂ１，２２ｃ１，２３ｂ１，２３ｃ１）及び上ベースの複数の支持部に設けた貫通孔に軸部材（３３，３４）をそれぞれ貫通させて、前記一つの脚以外の脚を上べースに回転可能にそれぞれ組み付けるようにしたことにある。
【０００８】
この場合、例えば、複数の脚の長手方向に直交する断面形状をコ字状とするとよい。また、例えば、複数の脚及び複数のステーはそれぞれ３本ずつ設けられるとよいが、それ以外の数であってもよい。さらに、複数のステーは、例えば、その横断面形状がコ字状に形成され、又は横断面形状が方形状である帯状に形成されている。
【０００９】
前記のように構成した本発明に係るスタンドにおいては、上べースは、支柱に対して上下方向に移動可能かつ固定可能に支柱に組み付けられている。また、下べースは、支柱に対して上下方向に移動可能かつ固定可能に支柱に組み付けられ、又は支柱に固定されている。そして、複数の脚は、内側端部にて上べースに支柱を含む平面内にて回転可能に組み付けられている。また、複数のステーは、内側端部にて下べースに支柱及び対応する脚を含む平面内にて回転可能に組み付けられ、外側端部にて対応する脚の中間部に支柱及び対応する脚を含む平面内にて回転可能に組み付けられている。したがって、下べースを支柱に固定した状態で、複数の脚の外側端部を内側又は外側に回動させて、上べースを上下方向に移動させた後に、適当な位置で支柱に固定すれば、支柱の高さを適当に調整したうえで、支柱を複数の脚及び複数のステーに固定支持させることができる。上ベースの上下方向の移動は、調整ナットのねじ込みを弛めることにより上ベース及びクラッチ部材の支柱上の固定を解除することにより行われる。上ベースの支柱上への固定は、調整ナットのねじ込みにより上ベース及びクラッチ部材を支柱上に固定することにより行われる。
【００１０】
そして、本発明の特徴においては、複数の脚は、平板状部材に曲げ部を設けて下方を開放させて互いに平行に対向した第１側壁部及び第２側壁部を有する長尺状に形成され、例えば横断面形状をコ字状にして長尺状に形成されている。その結果、本発明の特徴によれば、縦方向及び横方向の剛性をある程度大きく保ったうえで、複数の脚の横断面積を小さくすることができ、複数の脚の軽量化を図ることができる。また、支柱と上ベースの間には、樹脂性のクラッチ部材が介装されている。これによれば、上べースの支柱の外周面への固定が確実となる。
【００１１】
また、本発明の他の特徴は、複数の脚の長手方向と直交する方向において対向した内側面間の距離を、ステーの長手方向と直交する方向における幅よりも大きくしたことにある。これによれば、上べースの支柱に対する固定を解除して、複数の脚の外側端部を支柱側に回動させることにより、複数の脚を支柱の延設方向と同じ方向にして、スタンドを簡単に収納できる。その結果、前記本発明の他の特徴によれば、複数のステーは複数の脚内に収納され、スタンドが収納時にかさばらないようにすることができる。
【図面の簡単な説明】
【００１３】
【図１】本発明の一実施形態に係る楽器用スタンドの全体概略斜視図である。
【図２】図１の楽器用スタンドの下部を斜め上方から見た概略斜視図である。
【図３】図１の楽器用スタンドの下部を斜め下方から見た概略斜視図である。
【図４】図１の楽器用スタンドにおける脚及びステーの下パイプへの組み付け状態を示す斜め上方から見た拡大概略斜視図である。
【図５】図１の脚の上ベースへの組み付け状態を示す横断面図である。
【図６】（Ａ）は図１の楽器用スタンドの一つの脚の正面図であり、（Ｂ）は前記脚の側面図であり、（Ｃ）は前記脚の下面図である。
【図７】（Ａ）は図１の楽器用スタンドの他の脚の正面図であり、（Ｂ）は前記脚の側面図であり、（Ｃ）は前記脚の下面図である。
【図８】（Ａ）は図１の楽器用スタンドのステーの正面図であり、（Ｂ）は前記ステーの側面図であり、（Ｃ）は前記ステーの上面図である。
【図９】図１の楽器用スタンドの上ベースを斜め上方から見た斜視図である。
【図１０】図１の楽器用スタンドのクラッチ部材を斜め上方から見た斜視図である。
【図１１】図１の楽器用スタンドの下ベースを斜め上方から見た斜視図である。
【図１２】（Ａ）は図１の脚の折り畳み過程を説明するための楽器用スタンドの下部を斜め上方から見た概略斜視図であり、（Ｂ）は前記脚の折り畳み完了状態を示す楽器用スタンドの下部を斜め上方から見た概略斜視図である。
【図１３】（Ａ）は本発明に係る楽器用スタンドの脚の剛性の確認に用いた脚の横断面図であり、（Ｂ）は（Ａ）の脚との合成比較のための横断面形状を長方形状とする脚の横断面図である。
【発明を実施するための形態】
【００１４】
以下、本発明の一実施形態について図面を用いて説明する。図１は、一実施形態に係る楽器用スタンドの全体概略斜視図である。
【００１５】
この楽器用スタンドは、金属材料でそれぞれ円筒状に構成された下パイプ１１、中パイプ１２及び上パイプ１３で構成する支柱を備えている。下パイプ１１には、楽器用スタンドを床面、地面、ステージ上などに立設させて保持する折り畳み可能な金属製の３本の脚２１，２２，２３と、下パイプ１１と脚２１，２２，２３とをそれぞれ連結する金属製の３本のステー２４，２５，２６とが組付けられている。これらの脚２１，２２，２３及びステー２４，２５，２６を含む楽器用スタンドの下部に関しては、詳しく後述する。
【００１６】
中パイプ１２は、下パイプ１１の内径よりも若干小さな外径を有し、その下端部を下パイプ１１の上端面から下パイプ１１内に侵入させ、上ストッパ１５の下面を下ストッパ１４の上面に当接させて、下パイプ１１の上端部に固定されている。下ストッパ１４は、周方向の一部を切欠いた円筒状に形成されていて、切欠いた端部に一対の突出片を対向させるように設け、一対の突出片に設けた貫通孔にボルトを貫通させてナットにより下パイプ１１の上端部外周面上に固定されている。上ストッパ１５も、周方向の一部を切欠いた円筒状に形成されていて、切欠いた端部に一対の突出片を対向させるように設け、一対の突出片に設けた貫通孔にボルトを貫通させてナットにより中パイプ１２の下部外周面上に固定されている。この場合、上ストッパ１５の中パイプ１２に対する上下位置を調整した後に、上ストッパ１５を中パイプ１２の外周面上にナットで固定するようにすれば、中パイプ１２の下パイプ１１に対する侵入量が調整されて、中パイプ１２の高さが調整されるようになっている。
【００１７】
上パイプ１３は、中パイプ１２の内径よりも若干小さな外径を有し、その下端部を中パイプ１２の上端面から中パイプ１２内に侵入させ、上ストッパ１７の下面を下ストッパ１６の上面に当接させて、中パイプ１２の上端部に固定されている。下ストッパ１６は、前記下ストッパ１４と同様に構成されて、ボルト及びナットにより、中パイプ１２の上端部外周面上に固定されている。上ストッパ１７は、前記上ストッパ１５と同様に構成されて、ボルト及びナットにより、上パイプ１３の下部外周面上に固定されている。この場合も、上ストッパ１７の上パイプ１３に対する上下位置を調整することにより、上パイプ１３の高さが調整されるようになっている。上パイプ１３の上部には、取付け金具１８が組付けられ、取付け金具１８には、例えばシンバル１９が固定されている。
【００１８】
次に、脚２１，２２，２３及びステー２４，２５，２６を備えたスタンドの下部について、図２乃至図１１を用いて詳しく説明する。図２は、楽器用スタンドの下部を斜め上方から見た概略斜視図である。図３は、楽器用スタンドの下部を斜め下方から見た概略斜視図である。図４は、楽器用スタンドにおける脚２１，２２，２３及びステー２４，２５，２６の下パイプ１１への組み付け状態を示す斜め上方から見た拡大概略斜視図である。図５は、脚２１の上ベース２７への組み付け状態を示す横断面図である。図６乃至図１１は、各種部品の部品図である。
【００１９】
脚２１は、図６に示すように、金属製の平板状部材を曲げ加工し、下方を開放させて横断面形状をコ字状とする長尺状に形成されており、上壁部２１ａ及び側壁部２１ｂ，２１ｃを有する。側壁部２１ｂ，２１ｃは、上壁部２１ａに対して直角に曲げられており、互い平行に対向している。側壁部２１ｂ，２１ｃは、上壁部２１ａよりも長く、それらの一端側（内側端側）は上壁部２１ａの一端よりも突出しており、それらの先端部は半円状になっている。側壁部２１ｂの一端側には四角形の貫通孔２１ｂ１が設けられ、側壁部２１ｃの一端側には貫通孔２１ｂ１に対向して円形の貫通孔２１ｃ１が設けられている。側壁部２１ｂ，２１ｃの他端は、上壁部２１ａの他端と同じ位置にあり、それらの先端下端部は円形状である。側壁部２１ｂ，２１ｃのほぼ中央位置には、円形の貫通孔２１ｂ２，２１ｃ２がそれぞれ対向して設けられている。ただし、貫通孔２１ｃ２は図示省略されている。
【００２０】
脚２２も、図７に示すように、金属製の平板状部材を曲げ加工し、下方を開放させて横断面形状をコ字状とする長尺状に形成されており、上壁部２２ａ及び側壁部２２ｂ，２２ｃを有する。この脚２２は、側壁部２２ｂの一端側に円形の貫通孔２２ｂ１が設けられている点以外の構成は前記脚２１と同じであり、側壁部２２ｂ，２２ｃには、前記貫通孔２１ｂ２，２１ｃ１，２１ｃ２と同様な円形の貫通孔２２ｂ２，２２ｃ１，２２ｃ２がそれぞれ設けられている。脚２３は、脚２２と同じ構成であり、図７の括弧内に示すように、上壁部２３ａ及び側壁部２３ｂ，２３ｃを有するとともに、側壁部２３ｂ，２３ｃには、前記貫通孔２２ｂ１，２２ｂ２，２２ｃ１，２２ｃ２と同様な円形の貫通孔２３ｂ１，２３ｂ２，２３ｃ１，２３ｃ２がそれぞれ設けられている。ただし、これらの場合には、貫通孔２２ｃ１，２２ｃ２，２３ｃ１，２３ｃ２は図示省略されている。
【００２１】
ステー２４は、図８に示すように、金属製の平板状部材を曲げ加工し、上方を開放させて横断面形状をコ字状とする長尺状に形成されており、下壁部２４ａ及び側壁部２４ｂ，２４ｃを有する。側壁部２４ｂ，２４ｃは、上壁部２１ａに対して直角に曲げられており、互い平行に対向している。側壁部２４ｂ，２４ｃは、下壁部２４ａよりも若干長く、それらの両端は下壁部２４ａの両端よりもそれぞれ突出している。側壁部２４ｂ，２４ｃの両端先端部はそれぞれ半円形であり、両端側には、円形の貫通孔２４ｂ１，２４ｃ１及び円形の貫通孔２４ｂ２，２４ｃ２がそれぞれ対向して設けられている。ただし、貫通孔２４ｃ１，２４ｃ２は図示省略されている。側壁部２４ｂ，２４ｃの外側面間の距離は、脚２１の側壁部２１ｂ，２１ｃの内側面間の距離よりも多少短い。
【００２２】
ステー２５，２６は、ステー２４と同じ構成であり、図８の括弧内に示すように、下壁部２５ａ，２６ａ及び側壁部２５ｂ，２５ｃ，２６ｂ，２６ｃをそれぞれ有するとともに、側壁部２５ｂ，２５ｃ，２６ｂ，２６ｃには、前記貫通孔２４ｂ１，２４ｂ２，２４ｃ１，２４ｃ２と同様な円形の貫通孔２５ｂ１，２５ｂ２，２５ｃ１，２５ｃ２，２６ｂ１，２６ｂ２，２６ｃ１，２６ｃ２がそれぞれ設けられている。ただし、これらの場合には、貫通孔２５ｃ１，２５ｃ２，２６ｃ１，２６ｃ２は図示省略されている。また、側壁部２５ｂ，２５ｃの外側面間の距離及び側壁部２６ｂ，２６ｃの外側面間の距離は、脚２２の側壁部２２ｂ，２２ｃの内側面間の距離及び脚２３の側壁部２３ｂ，２３ｃの内側面間の距離よりもそれぞれ多少短い。
【００２３】
脚２１，２２，２３は、それらの内側端部にて、下パイプ１１の下部に組み付けた上ベース２７に回転可能にそれぞれ支持されている。上ベース２７は、図９に示すように、金属材料で一体的に構成され、周方向の一部を縦方向に切欠いた円筒状の本体部２７ａを有する。本体部２７ａには、その両端部（前記切欠いた端部）から外側にそれぞれ突出した支持片２７ｂ，２７ｃと、本体部２７ａの外周面から外側に突出した２つ支持部２７ｄ，２７ｅとが設けられている。支持部２７ｄ，２７ｅの周方向中央位置は、支持片２７ｂ，２７ｃの周方向中央位置に対して、本体部２７ａの軸心回りにほぼ１２０度ずつずれている。
【００２４】
支持片２７ｂ，２７ｃは、平板状に構成されて隙間を隔てて対向しており、それらの外側面間の距離は脚２１の側壁部２１ｂ，２１ｃの内側面間の距離にほぼ等しい。支持片２７ｂ，２７ｃの中央付近には、脚２１の側壁部２１ｃに設けた円形の貫通孔２１ｃ１とほぼ同一直径の円形の貫通孔２７ｂ１，２７ｃ１がそれぞれ対向して設けられている。そして、これらの貫通孔２７ｂ１，２７ｃ１は、脚２１を上べース２７に組み付けた状態では、脚２１の貫通孔２１ｂ１，２１ｃ１と対向するように位置する。ただし、貫通孔２７ｂ１は、図５に示すように、外側部分の半径を大きくして２段になっており、外側部分は後述するボルト３１の頭部の下面に設けた凸部３１ａが貫通孔２７ｂ１に侵入しても、ボルト３１と上ベース２７との相対回転を可能としている。
【００２５】
支持部２７ｄ，２７ｅは、内部に空間を有する板状部材により構成されている。支持部２７ｄ，２７ｅの両側壁部の中央付近には、脚２２，２３に設けた円形の貫通孔２２ｂ１，２２ｃ１，２３ｂ１，２３ｃ１とほぼ同一直径の円形の貫通孔２７ｄ１，２７ｄ２及び貫通孔２７ｅ１，２７ｅ２がそれぞれ対向して設けられている。そして、これらの貫通孔２７ｄ１，２７ｄ２，２７ｅ１，２７ｅ２は、脚２２，２３を上べース２７に組み付けた状態では、脚２２，２３の貫通孔２２ｂ１，２２ｃ１，２３ｂ１，２３ｃ１とそれぞれ対向するように位置する。ただし、貫通孔２７ｄ２，２７ｅ２は図示省略されている。
【００２６】
このように構成した上ベース２７の下パイプ１１への組み付け状態では、下パイプ１１と上ベース２７の間にクラッチ部材２８が介装されている。クラッチ部材２８は、図１０に示すように、弾性変形する合成樹脂材料（例えば、ナイロン材）で一体的に構成され、周方向の一部を縦方向に切欠いた円筒状の本体部２８ａを有する。本体部２８ａの内周面の直径は下パイプ１１の直径にほぼ等しく、本体部２８ａの外周面の直径は上ベース２７の本体部２７ａの内周面の直径にほぼ等しい。本体部２８ａには、その両端部（前記切欠いた端部）から外側にそれぞれ突出した支持片２８ｂ，２８ｃが設けられている。支持片２８ｂ，２８ｃは、平板状に構成されて隙間を隔てて対向しており、それらの外側面間の距離は上ベース２７の支持片２７ｂ，２７ｃの内側面間の距離にほぼ等しい。支持片２８ｂ，２８ｃの中央付近には、上ベース２７の支持片２７ｂ，２７ｃに設けた円形の貫通孔２７ｂ１，２７ｃ１とほぼ同一直径の円形の貫通孔２８ｂ１，２８ｃ１がそれぞれ対向して設けられている。そして、これらの貫通孔２８ｂ１，２８ｃ１は、クラッチ部材２８を下パイプ１１と上ベース２７の間に介装した状態では、脚２１の貫通孔２１ｂ１，２１ｃ１及び上ベース２７の貫通孔２７ｂ１，２７ｃ１とそれぞれ対向するように位置する。
【００２７】
ここで、前記構成の上ベース２７及びクラッチ部材２８を使って、脚２１，２２，２３を下パイプ１１上に組み付ける工程について説明しておく。下パイプ１１を上ベース２７の本体部２７ａ内に侵入させるとともに、下パイプ１１と上ベース２７の間にクラッチ部材２８を上方又は下方から侵入させて、下パイプ１１の外周面上にクラッチ部材２８及び上ベース２７を組み付ける。なお、この下パイプ１１の外周面上にクラッチ部材２８及び上ベース２７を組み付ける順序に関しては、先に上ベース２７を下パイプ１１の外周面上に組み付けてもよいし、先にクラッチ部材２８を下パイプ１１の外周面上に組み付けてもよい。
【００２８】
次に、脚２１，２２，２３の側壁部２１ｂ，２１ｃ，２２ｂ，２２ｃ，２３ｂ，２３ｃの内側端部を上ベース２７の支持片２７ｂ，２７ｃ及び支持部２７ｄ，２７ｅの外側に組み付ける。脚２１の内側端部の上ベース２７の支持片２７ｂ，２７ｃへの組み付けにおいては、脚２１の側壁部２１ｂ，２１ｃの解放側を下にして、側壁部２１ｂ，２１ｃの貫通孔２１ｂ１，２１ｃ１を支持片２７ｂ，２７ｃの貫通孔２７ｂ１，２７ｃ１に対向させ、軸部材であるボルト３１が脚２１の側壁部２１ｂの外側（図４の左側及び図５の上側）から貫通孔２１ｂ１，２７ｂ１，２８ｂ１，２８ｃ１，２７ｃ１，２１ｃ１をこの順に通過するように侵入させ、その先端を脚２１の側壁部２１ｃの外側（図４の右側及び図５の下側）から突出させる。そして、ボルト３１の先端に、手動によって回転操作可能な調整ナット３２をねじ込む。ボルト３１の頭部の下面上には、脚２１の側壁部２１ｂに設けた四角形の貫通孔２１ｂ１と同一形状である四角形の凸部３１ａ（図５参照）が設けられている。この四角形の凸部３１ａの大きさは、四角形の貫通孔２１ｂ１よりも僅かに小さい。また、この凸部３１ａの軸線方向の厚さは、脚２１の側壁部２１ｂの厚さにほぼ等しい。
【００２９】
したがって、この凸部３１ａを貫通孔２１ｂ１内に侵入させれば、脚２１に対するボルト３１の軸線回りの回転が規制される。ただし、凸部３１ａが上べース２７の貫通孔２７ｂ１に侵入しても、貫通孔２７ｂ１の外側部分が大径に形成されているので、ボルト３１と上ベース２７との相対回転を可能としている。その結果、調整ナット３２をさらにねじ込めば、脚２１の側壁部２１ｂ，２１ｃを介して、上ベース２７の支持片２７ｂ，２７ｃ間及びクラッチ部材２８の支持片２８ｂ，２８ｃ間の隙間が狭くなり、上ベース２７及びクラッチ部材２８が下パイプ１１上に固定され、脚２１の内側端部も上ベース２７に固定される。また、調整ナット３２の締め込みを解除すなわち調整ナット３２のねじ込みを弛めれば、上ベース２７の支持片２７ｂ，２７ｃ間及びクラッチ部材２８の支持片２８ｂ，２８ｃ間の隙間が広くなり、上ベース２７及びクラッチ部材２８の下パイプ１１上の固定が解除されて、上ベース２７及びクラッチ部材２８を下パイプ１１の外周面上にて上下させることができる。また、脚２１の内側端部もボルト３１の軸線回りに回転可能となり、脚２１をボルト３１と共に、下パイプ１１及び脚２１を含む平面内にて上下に回転させることも可能となる。その結果、脚２１を、下パイプ１１の上下方向の適当な位置に調整するとともに、下パイプ１１に対して適当な角度に調整して、下パイプ１１の外周面上に固定できるようなる。
【００３０】
脚２２の内側端部の上ベース２７の支持部２７ｄへの組み付けにおいては、脚２２の側壁部２２ｂ，２２ｃの解放側を下にして、側壁部２２ｂ，２２ｃの貫通孔２２ｂ１，２２ｃ１を支持部２７ｄの貫通孔２７ｄ１，２７ｄ２に対向させ、軸部材であるリベット３３が脚２２の側壁部２１ｂの外側から貫通孔２２ｂ１，２７ｄ１，２７ｄ２，２２ｃ１をこの順に通過するように侵入させ、その先端を脚２２の側壁部２２ｃの外側から突出させる。そして、リベット３３の先端を押し潰して、リベット３３を抜け止めすれば、脚２２は、リベット３３の軸線回りに、下パイプ１１及び脚２２を含む平面内にて回転できるように上ベース２７に支持される。
【００３１】
脚２３の内側端部の上ベース２７の支持部２７ｅへの組み付けにおいては、脚２３の側壁部２３ｂ，２３ｃの解放側を下にして、側壁部２３ｂ，２３ｃの貫通孔２３ｂ１，２３ｃ１を支持部２７ｅの貫通孔２７ｅ１，２７ｅ２に対向させ、軸部材であるリベット３４が脚２３の側壁部２３ｂの外側から貫通孔２３ｂ１，２７ｅ１，２７ｅ２，２３ｃ１をこの順に通過するように侵入させ、その先端を脚２３の側壁部２３ｃの外側から突出させる。そして、リベット３４の先端を押し潰して、リベット３４を抜け止めすれば、脚２３は、リベット３４の軸線回りに、下パイプ１１及び脚２３を含む平面内にて回転できるように上ベース２７に支持される。なお、脚２１，２２，２３の外側端部（下端部）には、ゴム製の脚足３５，３６，３７がはめ込まれている。
【００３２】
ステー２４，２５，２６は、それらの内側端部にて下パイプ１１の下端に組み付けた下ベース２９に回転可能にそれぞれ支持されて、それらの外側端部にて脚２１，２２，２３の中間部に回転可能にそれぞれ支持されている。下ベース２９は、図１１に示すように、金属材料で一体的に構成され、円筒状の本体部２９ａを有する。本体部２９ａには、本体部２７ａの外周面から外側に突出した支持片２９ｂ，２９ｃ，２９ｄ，２９ｅ，２９ｆ，２９ｇが設けられている。
【００３３】
支持片２９ｂ，２９ｃは、平板状に構成されて小さな隙間を隔てて対向している。支持片２９ｄ，２９ｅも、平板状に構成されて小さな隙間を隔てて対向している。支持片２９ｆ，２９ｇも、平板状に構成されて小さな隙間を隔てて対向している。支持片２９ｂ，２９ｃの周方向中央位置、支持片２９ｄ，２９ｅの周方向中央位置及び支持片２９ｆ，２９ｇの周方向中央位置は、本体部２９ａの軸心回りにほぼ１２０度ずつずれて位置する。支持片２９ｂ，２９ｃの内側面間の距離、支持片２９ｄ，２９ｅの内側面間の距離及び支持片２９ｆ，２９ｇの内側面間の距離は、ステー２４の側壁部２４ｂ，２４ｃの外側面間の距離、ステー２５の側壁部２４ｂ，２５ｃの外側面間の距離及びステー２６の側壁部２６ｂ，２６ｃの外側面間の距離にそれぞれほぼ等しい。
【００３４】
支持片２９ｂ，２９ｃ、支持片２９ｄ，２９ｅ及び支持片２９ｆ，２９ｇの中央付近には、ステー２４，２５，２６の側壁部２４ｂ，２４ｃ，２５ｂ，２５ｃ，２６ｂ，２６ｃに設けた円形の貫通孔２４ｂ１，２４ｃ１，２５ｂ１，２５ｃ１，２６ｂ１，２６ｃ１とほぼ同一直径の円形の貫通孔２９ｂ１，２９ｃ１、貫通孔２９ｄ１，２９ｅ１及び貫通孔２９ｆ１，２９ｇ１がそれぞれ対向して設けられている。そして、これらの貫通孔２９ｂ１，２９ｃ１，２９ｄ１，２９ｅ１，２９ｆ１，２９ｇ１は、ステー２４，２５，２６を下べース２９に組み付けた状態では、ステー２４，２５，２６の貫通孔２４ｂ１，２４ｃ１，２５ｂ１，２５ｃ１，２６ｂ１，２６ｃ１とそれぞれ対向するように位置する。ただし、貫通孔２９ｆ１は、図示省略されている。
【００３５】
そして、このように構成した下ベース２９は、支持片２９ｂ，２９ｃ間の周方向の中心位置、支持片２９ｄ，２９ｅ間の周方向の中心位置及び支持片２９ｆ，２９ｇ間の周方向の中心位置を、上ベース２７の支持片２７ｂ，２７ｃの間の周方向の中心位置及び支持部２７ｄ，２７ｅの周方向の中心位置にそれぞれ合わせて、下パイプ１１の下端の外周面上に固定されている。この下ベース２９の固定においては、図示省略した雄ねじを本体部２９ａに設けた雌ねじに螺合させるとともに、雄ねじの先端を下パイプ１１の外周面上に当接させて固定されている。なお、この下ベース２９の下パイプ１１への固定においては、雄ねじを下パイプ１１に侵入させて固定したり、接着剤を用いて固定したり、溶接により固定したりするようにしてもよい。
【００３６】
次に、ステー２４，２５，２６の、下ベース２９及び脚２１，２２，２３に対する組み付けについて説明しておく。ステー２４の下ベース２９及び脚２１の組み付けにおいては、ステー２４の側壁部２４ｂ，２４ｃの解放側を上にして、その内側端部を下ベース２９の支持片２９ｂ，２９ｃの間に侵入させて、側壁部２４ｂ，２４ｃの貫通孔２４ｂ１，２４ｃ１を支持片２９ｂ，２９ｃの貫通孔２９ｂ１，２９ｃ１に対向させ、軸部材であるリベット４１が支持片２９ｂの外側から貫通孔２９ｂ１，２４ｂ１，２４ｃ１，２９ｃ１をこの順に通過するように侵入させ、その先端を支持片２９ｃの外側から突出させる。そして、リベット４１の先端を押し潰して、リベット４１を抜け止めすれば、ステー２４は、リベット４１の軸線回りに、下パイプ１１及びステー２４を含む平面内にて回転できるように下ベース２９に支持される。
【００３７】
そして、ステー２４の外側端部を脚２１の側壁部２１ｂ，２１ｃの間に侵入させて、側壁部２４ｂ，２４ｃの貫通孔２４ｂ２，２４ｃ２を側壁部２１ｂ，２１ｃの貫通孔２１ｂ２，２１ｃ２に対向させ、軸部材であるリベット４２が側壁部２１ｂの外側から貫通孔２１ｂ２，２４ｂ２，２４ｃ２，２１ｃ２をこの順に通過するように侵入させ、その先端を側壁部２１ｃの外側から突出させる。そして、リベット４２の先端を押し潰して、リベット４２を抜け止めすれば、ステー２４は、リベット４２の軸線回りに、下パイプ１１及びステー２４を含む平面内にて回転できるように脚２１に支持される。なお、この状態では、調整ナット３２を弛めておき、上ベース２７及びクラッチ部材２８が下パイプ１１の外周面上を上下方向に移動可能にしておく。
【００３８】
また、ステー２５の下ベース２９及び脚２２への組み付けにおいても、ステー２５の側壁部２５ｂ，２５ｃの解放側を上にして、前記ステー２４の場合と同様に、リベット４３を用いて、その内側端部を下ベース２９の支持片２９ｄ，２９ｅに回転可能に組み付けて、ステー２５を下パイプ１１及びステー２５を含む平面内にて回転できるように下ベース２９に支持させる。また、ステー２５の外側端部を、前記ステー２４の場合と同様に、リベット４４を用いて、脚２２の中間部に回転可能に組み付けて、ステー２５を下パイプ１１及びステー２５を含む平面内にて回転できるように脚２２に支持させる。
【００３９】
また、ステー２６の下ベース２９及び脚２３への組み付けにおいても、ステー２６の側壁部２６ｂ，２６ｃの解放側を上にして、前記ステー２４の場合と同様に、リベット４５を用いて、その内側端部を下ベース２９の支持片２９ｆ，２９ｇに回転可能に組み付けて、ステー２６を下パイプ１１及びステー２６を含む平面内にて回転できるように下ベース２９に支持させる。また、ステー２６の外側端部を、前記ステー２４の場合と同様に、リベット４６を用いて、脚２３の中間部に回転可能に組み付けて、ステー２６を下パイプ１１及びステー２６を含む平面内にて回転できるように脚２３に支持させる。
【００４０】
そして、上ベース２７及びクラッチ部材２８を下パイプ１１の上下方向に移動させて適当に位置させた後、調整ナット３２を締め付けることにより、上ベース２７及びクラッチ部材２８を下パイプ１１の外周面上に固定する。これにより、脚２１，２２，２３の内側端部の高さが決定される。
【００４１】
なお、前記説明では、上ベース２７及びクラッチ部材２８の下パイプ１１への組み付け、並びに上ベース２７への脚２１，２２，２３の組み付けをした後に、下ベース２９の下パイプ１１への組み付け、並びにステー２４，２５，２６の下ベース２９及び脚２１，２２，２３への組み付けを行うようした。しかし、このような組み付け順を逆にして、下ベース２９の下パイプ１１への組み付け、並びにステー２４，２５，２６の下ベース２９への組み付けをした後に、上ベース２７及びクラッチ部材２８の下パイプ１１への組み付け、並びに上ベース２７への脚２１，２２，２３の組み付け及び脚２１，２２，２３へのステー２４，２５，２６の組み付けをするようにしてもよい。また、上ベース２７及び下ベース２９を下パイプ１１に組み付けた後、脚２１，２２，２３及びステー２４，２５，２６を上ベース２７及び下ベース２９に組み付けるようにしてもよい。
【００４２】
その後、下パイプ１１の上方に中パイプ１２を適当な上下位置に調整して、下ストッパ１４及び上ストッパ１５により、中パイプ１２を下パイプ１１上に組み付ける。この場合、下ストッパ１４及び上ストッパ１５は、下パイプ１１及び中パイプ１２の外周面上にそれぞれ事前に組み付けられている。さらに、中パイプ１２の上方に上パイプ１３を適当な上下位置に調整して、下ストッパ１６及び上ストッパ１７により、上パイプ１３を中パイプ１２上に組み付ける。この場合も、下ストッパ１６及び上ストッパ１７は、中パイプ１２及び上パイプ１３の外周面上にそれぞれ事前に組み付けられている。そして、上パイプ１３に取付け金具１８を組み付け、取付け金具１８にシンバル１９を取付ければ、図１に示すような状態となる。そして、演奏者はシンバル１９を演奏することができる。
【００４３】
次に、脚２１，２２，２３及びステー２４，２５，２６の収納について説明しておく。この場合、調整ナット３２を弛めて、上ベース２７及びクラッチ部材２８を下パイプ１１の外周面上を上下に移動可能な状態にして、脚２１，２２，２３の外側端部を内側に押し込めば、脚２１，２２，２３は、ボルト３１及びリベット３３，３４周りに下方内側に回転し、これと同時に、ステー２４，２５，２６の内側端部及び外側端部もリベット４１，４２，４３，４４，４５，４６の軸線回りに回動して、脚２１，２２，２３は、図１２（Ａ）に示すように、畳まれる。そして、脚２１，２２，２３の外側端部をさらに押し込めば、脚２１，２２，２３は、図１２（Ｂ）に示すように、完全に折り畳まれる。この場合、ステー２４の両側壁部２４ｂ，２４ｃの外側間の距離、ステー２５の両側壁部２５ｂ，２５ｃの外側間の距離、及びステー２６の両側壁部２６ｂ，２６ｃの外側間の距離は、脚２１の両側壁部２１ｂ，２１ｃの内側間の距離、脚２２の両側壁部２２ｂ，２２ｃの内側間の距離、及び脚２３の両側壁部２３ｂ，２３ｃの内側間の距離よりもそれぞれ小さいので、ステー２４，２５，２６は脚２１，２２，２３の内部に収納される。
【００４４】
ここで、上記実施形態における脚２１，２２，２３の重量及び剛性のシミュレーション結果について説明しておく。図１３（Ａ）は、比重７．８ｇ／ｃｍ3である鉄材を用いた横断面形状を下方に開放させてコ字状にした本発明に係る脚２１（２２，２３）の横断面図である。この場合、脚２１（２２，２３）の横幅Ｗは１５ｍｍであり、高さＨは１６．６ｍｍ、板厚ｔは１．０ｍｍであり、１ｃｍ当たりの重量は３．６０ｇである。なお、この１ｃｍ当たりの重量３．６ｇは、次の帯状の脚６１の１ｃｍ当たりの重量５．８９に対して、６１．２％に相当する。図１３（Ｂ）は、本発明に係る脚２１（２２，２３）との比較対象である、比重７．８ｇ／ｃｍ3である鉄材を用いた横断面形状を長方形状とする帯状の脚６１の横断面図である。この場合、横幅（厚さ）Ａは４．７６ｍｍであり、高さＢは１５．８７ｍｍであり、１ｃｍ当たりの重量は５．８９ｇである。
【００４５】
そして、下記表１に示すように、コ字状の脚２１（２２，２３）の縦方向の断面二次モーメントＩは１，６０５．１ｍｍ4となり、横方向の断面二次モーメントＩは１，８１２．７ｍｍ4となった。
【表１】
0006606893.tif 000002
【００４６】
また、下記表２に示すように、帯状の脚６１の縦方向の断面二次モーメントＩは１，５８５．５ｍｍ4となり、横方向の断面二次モーメントＩは１４２．６ｍｍ4となった。
【表２】
0006606893.tif 000003
【００４７】
前記表１及び表２から分かるように、コ字状の脚２１（２２，２３）の縦方向の断面二次モーメントにおいては、帯状の脚６１に比べて、重量比が６１．２％であるにも関わらず、脚６１とほぼ同じ断面二次モーメントを有する。また、横方向の断面二次モーメントに関しては、コ字状の脚２１（２２，２３）の方が、脚６１よりも極めて大きい。これにより、コ字状の脚２１（２２，２３）を用いることは、脚６１を用いる場合に比べて、重量及び剛性の点で有利であることが分かる。
【００４８】
上記のように構成された楽器用スタンドによれば、脚２１，２２，２３を少なくとも一部に平板状部を有する平板状部材に曲げ部を設けて、横断面形状をコ字状にして下方を開放させたので、縦方向及び横方向の剛性をある程度大きく保ったうえで、脚２１，２２，２３の横断面積を小さくすることができ、脚２１，２２，２３、ひいては楽器用スタンドの軽量化を図ることができる。また、楽器用スタンドの収納時には、調整ナット３２を弛めて、脚２１，２２，２３の外側端部を下パイプ１１側に回動させることにより、脚２１，２２，２３を下パイプ１１の延設方向と同じ方向にすることができる。そして、この収納時には、ステー２４，２５，２６は脚２１，２２，２３内に収納されるので、楽器用スタンドが収納時にかさばらないようにすることができる。
【００４９】
また、上記のように構成された楽器用スタンドによれば、弾性変形する樹脂製のクラッチ部材２８を下パイプ１１の外周面と上べース２７の内周面との間に介装させるようにしたので、上べース２７が下パイプ１１の外周面上に確実に固定される。
【００５０】
さらに、上記のように構成された楽器用スタンドにおいては、上ベース２７に支持片２７ｂ，２７ｃを設け、この支持片２７ｂ，２７ｃにボルト３１を貫通させて、調整ナット３２により、脚２１の側壁部２１ｂ、２１ｃの内側端部を回転可能かつ固定可能に上ベース２７の組み付けるようにした。また、ボルト３１及び調整ナット３２を用いて、この支持片２７ｂ，２７ｃ間の隙間の距離を変化させることにより、上ベース２７及びクラッチ部材２８を、下パイプ１１の外周面上を上下に移動可能にしたり、下パイプ１１の外周面上に固定したりするようにもした。このように、ボルト３１及び調整ナット３２が、脚２１を上べース２７の支持片２７ｂ，２７ｃに回転可能に支持する機能と、上べース２７のベース本体２７ａを下パイプ１１に対して移動可能かつ固定可能とする機能との両機能を備えるようにしたので、上べース２７部分の構成を簡単にすることができる。特に、ボルト３１の頭部の下方に設けた凸部３１ａと、脚２１の側壁部２１ｂの内側端部に設けた貫通孔２１ｂ１との係合により、脚２１に対するボルト３１の軸線回りの回転を規制するようにしたので、調整ナット３２の回転操作がし易くなる。
【００５１】
なお、本発明に係る装置は、上記実施形態に限定されるものではなく、適宜変更して実施することが可能である。
【００５２】
上記実施形態では、脚２１，２２，２３の横断面形状をそれぞれコ字状とした。しかし、これに代えて、少なくとも一部に平板状部を有する平板状部材に曲げ部を設けるようにして下方を開放させた長尺状の脚２１，２２，２３であれば、横断面形状はコ字状でなくてもよい。例えば、上壁部２１ａ，２２ａ，２３ａの横断面形状を全体を曲げ加工して半円状にしてもよいし、曲げ加工する位置の数を変えて多角形状などにしてもよい。また、曲げ加工に限らず、押出し成形、鋳造、鍛造などによって異形形状にすることにより、又は他の手法により、平板状部材の一部又は全体に曲げ部を有するものとしてもよい。ここで、「曲げ部」とは、平板状部において板面の法線方向が変わるところを指していて、例えば、押出し成形による「Ｔ字」、「Ｈ字」、「π字」の断面形状としてもよい。さらに、平板状部材は、肉厚が均一であっても、均一でなくてもよい。つまり、脚は、下方を開放させた長尺状のものであればよい。
【００５３】
また、上記実施形態においては、脚２１の側壁部２１ｂの内側端に４角形状の貫通孔２１ｂ１を設けるとともに、ボルト３１の頭部の下面に横断面４角形状の凸部３１ａを設け、凸部３１ａの貫通孔２１ｂ１への勘合により、脚２１に対するボルト３１の軸線周りの回転を規制した。しかし、凸部３１ａの貫通孔２１ｂ１への勘合により、脚２１に対するボルト３１の軸線周りの回転が規制されるならば、凸部３１及び貫通孔２１ｂ１の形状を４角形以外の多角形状にしてもよい。
【００５４】
また、上記実施形態では、脚２１，２２，２３に加えて、ステー２４，２５，２６の横断面形状もコ字状にしたが、ステー２４，２５，２６はあまり大きな剛性を必要としないので、横断面形状を、長方形、正方形、円形などの種々の形状にしてもよい。また、ステー２４，２５，２６も、曲げ加工に限らず、押出し成形、鋳造、鍛造などによる他の手法によって所望の形状を得るようにしてもよい。
【００５５】
また、上記実施形態では、支柱は、下パイプ１１、中パイプ１２及び上パイプ１３を円筒状に構成した。しかし、これらの下パイプ１１、中パイプ１２及び上パイプ１３は、上下方向に延設されていれば、横断面形状がどのような形状でもよい。例えば、横断面形状を方形状とするパイプも採用できる。また、伸縮させるため、複数のパイプで構成したが、一つのパイプで構成してもよい。さらに、支柱は、中空のパイプに限らず、中実の部材（単体又は複数の部材を接続してもよい）で構成してもよい。
【００５６】
また、上記実施形態では、ボルト３１及び調整ナット３２を用いて、上べース２７の支持片２７ｂ，２７ｃ間の隙間の距離を変化させて、上べース２７及びクラッチ部材２８を、下パイプ１１の外周面上を上下に移動可能にしたり、下パイプ１１の外周面上に固定したりするようにした。しかし、これに代えて、上べース２７の側部に横方向に貫通する内面に雌ねじを形成した貫通孔を設けるとともに、クラッチ部材２８に前記貫通孔に連通する貫通孔を設けておき、雄ねじを上べース２７及びクラッチ部材２８の貫通孔を貫通させ、下パイプ１１の側面に当接又は侵入させて、上べース２７及びクラッチ部材２８を下パイプ１１の外周面上に固定し、かつ前記当接又は侵入を解除して上べース２７及びクラッチ部材２８を下パイプ１１の外周面上を上下に移動可能にするようにしてもよい。
【００５７】
また、上記実施形態では、上べース２７を下パイプ１１に対して上下方向に移動可能かつ固定可能に下パイプ１１に組み付け、下べース２９を下パイプ１１に固定した。しかし、これに代えて、上べース２７を下パイプ１１に固定し、下べース２９を下パイプ１１に対して上下方向に移動可能かつ固定可能に下パイプ１１に組み付けてもよい。この場合、上べース２７を下パイプ１１に固定した状態で、下べース２９を下パイプ１１に対して上下方向に移動させて下べース２９の上下位置を調整した後、下べース２９を下パイプに固定するようにすれば、下パイプ１１の高さを調整したうえで、下パイプ１１を立設させて脚２１，２２，２３に支持させることになる。
【００５８】
また、前記に代えて、上べース２７及び下べース２９を共に下パイプ１１に対して上下方向に移動可能かつ固定可能に下パイプ１１に組み付けるようにしてもよい。この場合、上べース２７及び下べース２９のうちの一方のべースを下パイプ１１に固定した状態で、上べース２７及び下べース２９のうちの他方のべースを下パイプ１１に対して上下方向に移動させて他方のべースの上下位置を調整した後、前記他方のべースを下パイプに固定するようにすれば、下パイプ１１の高さを調整したうえで、下パイプ１１を立設させて脚２１，２２，２３に支持させることになる。要は、上べース２７及び下べース２９の一方のべースを下パイプ１１に対して上下方向に移動可能かつ固定可能に下パイプ１１に組み付け、かつ上べース２７及び下べース２７のうちの他方のべースを、下パイプ１１に対して上下方向に移動可能かつ固定可能に下パイプ１１に組み付け、又は下パイプ１１に固定するようにすればよい。
【００５９】
また、上記実施形態においては、クラッチ部材２８を、下パイプ１１と上べース２７の間に挿入して、上べース２７を下パイプ１１上に確実に固定できるようにした。しかし、上べース２７を下パイプ１１上に確実に固定できれば、クラッチ部材２８を省略してもよい。
【００６０】
また、上記実施形態においては、脚２１，２２，２３及びステー２４，２５，２６を３本ずつ設けるようにしたが、４本ずつ以上の脚及びステーを設けるようにしてもよい。また、下パイプ１１の下端部に脚足を設けて、下パイプの脚足を床面、地面、ステージ上などに当接させるようにすれば、２本ずつだけの脚及びステーを設けるようにすることもできる。これらの場合も、上記実施形態の場合と同様に、脚は上べース２７に組み付けられ、ステーは下べース２９及び脚に組み付けられる。
【００６１】
さらに、上記実施形態では、上パイプ１３に組み付けた取付け金具１８にシンバル１９を固定するようにしたが、シンバル１９以外の他の打楽器、例えばタムタム、カウベルなどを固定するようにしてもよい。また、打楽器以外の譜面立て、マイクロフォンなどが固定されるようにしてもよい。さらには、音楽関係以外のカメラ、望遠鏡などの他の物品を固定するようにしてもよい。要は、本発明に係るスタンドは、物品を上方位置にて支持できれば、種々の物品にも適用される。
【符号の説明】
【００６２】
１１…下パイプ、１２…中パイプ、１３…上パイプ、２１，２２，２３…脚、２１ａ，２２ａ，２３ａ…上壁部、２１ｂ，２１ｃ，２２ｂ，２２ｃ，２３ｂ，２３ｃ…側壁部、２４，２５，２６…ステー、２４ａ，２５ａ，２６ａ…下壁部、２４ｂ，２４ｃ，２５ｂ，２５ｃ，２６ｂ，２６ｃ…側壁部、２７…上ベース、２７ａ…本体部、２７ｂ，２７ｃ…支持片、２７ｄ，２７ｅ…支持部、２８…クラッチ部材、２９…下べース、２９ａ…本体部、２９ｂ，２９ｃ，２９ｄ，２９ｅ，２９ｆ，２９ｇ…支持片、３１…ボルト、３２…調整ナット
【図１】
0006606893.tif 000004
【図２】
0006606893.tif 000005
【図３】
0006606893.tif 000006
【図４】
0006606893.tif 000007
【図５】
0006606893.tif 000008
【図６】
0006606893.tif 000009
【図７】
0006606893.tif 000010
【図８】
0006606893.tif 000011
【図９】
0006606893.tif 000012
【図１０】
0006606893.tif 000013
【図１１】
0006606893.tif 000014
【図１２】
0006606893.tif 000015
【図１３】
0006606893.tif 000016